(57)【要約】【課題】モータの発生する振動を吸収する防振性を有するとともに、簡単な構造で、駆動後のモータを効率的に冷却することができるモータ固定用マウントを提供することにある。【解決手段】本発明のマウント１は、モータ２の出力軸２２を支持部材であるブラケット３の通孔３２Ａに貫通させて、モータ２をブラケット３に固定させる場合に、ブラケット３とモータ２との接合面に介在させるモータ固定用マウントであり、中央に出力軸２２を挿通させる挿通孔１１Ａ、１２Ａを有し、かつ、ブラケット３およびモータ２の接合面のそれぞれに固定される２枚の連結板１１、１２と、この２枚の連結板１１、１２の間に、挿通孔１１Ａ、１２Ａに対して略同心状に配置される防振部材１３とを備える。防振部材１３は、弾性材に熱伝導性化合物を配合してなり、前記熱伝導性化合物は、前記弾性部材の熱伝導度よりも高い熱伝導度を有している。【選択図】  図１
2004173352.tif 000002
【特許請求の範囲】
【請求項１】
モータの出力軸を支持部材の通孔に貫通させて、前記モータを前記支持部材に固定させる場合に、前記支持部材と前記モータとの接合面に介在させるモータ固定用マウントであって、
中央に前記出力軸を挿通させる挿通孔を有し、かつ、前記支持部材およびモータの接合面のそれぞれに固定される２枚の連結板と、
前記２枚の連結板の間に、前記挿通孔に対して略同心状に配置される防振部材とを備え、
前記防振部材は、弾性材に熱伝導性化合物を配合してなり、
前記熱伝導性化合物は、前記弾性部材の熱伝導度よりも高い熱伝導度を有していることを特徴とするモータ固定用マウント。
【請求項２】
請求項１に記載のモータ固定用マウントにおいて、
前記弾性部材は、ゴムであり、
前記熱伝導性化合物は、酸化マグネシウムを配合した熱伝導性シリコーンゴム組成物であることを特徴とするモータ固定用マウント。
【請求項３】
請求項１または請求項２に記載のモータ固定用マウントにおいて、
前記モータは、前記出力軸と同心状に前記接合面から突出する突出係止部を有し、
前記防振部材は、前記モータ側の連結板の挿通孔の内周面に沿って設けられた圧着部を有し、
前記圧着部の内径が、前記突出係止部の外径よりも小さいことを特徴とするモータ固定用マウント。
【請求項４】
請求項３に記載のモータ固定用マウントにおいて、
前記圧着部は、前記モータと連結板とが接合する面を越えて突出される突出部を有することを特徴とするモータ固定用マウント。
【請求項５】
請求項１から請求項４のいずれかに記載のモータ固定用マウントにおいて、
前記支持部材側の連結板には、前記支持部材の通孔内周面に当接して連結板を位置決めするための凸部が形成されていることを特徴とするモータ固定用マウント。
【発明の詳細な説明】
【０００１】
【発明の属する技術分野】
本発明は、モータの出力軸を支持部材の通孔に貫通させて、モータを支持部材に固定させる場合に、支持部材とモータとの接合面に介在させるモータ固定用マウントに関する。
【０００２】
【背景技術】
従来より、オフィス等のＯＡ化に伴って、ＯＡ機器の振動や騒音が注目されるようになった。その一つの原因は、ＯＡ機器に内蔵されたモータが駆動したとき、モータの振動が機器のフレームに伝達することによるものであった。
この振動等の問題を解決するための方法として、モータとこのモータを支持する支持部材との間にモータ固定用マウントを介在させる手法が知られている。
【０００３】
モータ固定用マウントとしては、例えば、中心にモータの出力軸を挿通させる挿通孔を有し、かつ、支持部材およびモータの接合面に固定される２枚の板材と、この２枚の板材の間に、挿通孔に対して同心状に配置されるリング状のゴム板とを備える構造のものが提案されている（特許文献１参照）。
【０００４】
【特許文献１】
実開平０３−６０８５７号公報      （第１頁）
【０００５】
この特許文献１記載の技術によれば、このゴム板が、モータからの振動を吸収するので、モータの振動が機器のフレーム等にほとんど伝達されず、振動等が発生することが少なくなる、すなわち防振の効果が得られる。
【０００６】
【発明が解決しようとする課題】
ところで、モータが駆動される際には、モータから熱が発生する。この熱は、モータ固定用マウントを介して、別の部材へ逃がすか、あるいはモータから直接空気中に放熱する等して、冷却する必要がある。
しかしながら、特許文献１記載の技術によるモータ固定用マウントにおいては、通常の防振に用いられるゴム材からなるゴム板は、熱伝導性が高くないので、支持部材への熱伝導による放熱性が低いという問題がある。
また、モータから空気中に放熱するために、モータ自体に放熱するための構造を設けることや、また、モータ自体を冷却するために冷却ファン等を別に設けることも考えられるが、構造が複雑になるため、製造コストの面で問題がある。
【０００７】
本発明の目的は、モータの発生する振動を吸収する防振性を有するとともに、簡単な構造で、駆動後のモータを効率的に冷却することができるモータ固定用マウントを提供することにある。
【０００８】
【課題を解決するための手段】
上記目的を達するために、本発明のモータ固定用マウントは、モータの出力軸を支持部材の通孔に貫通させて、前記モータを前記支持部材に固定させる場合に、前記支持部材と前記モータとの接合面に介在させるモータ固定用マウントであって、中央に前記出力軸を挿通させる挿通孔を有し、かつ、前記支持部材およびモータの接合面のそれぞれに固定される２枚の連結板と、前記２枚の連結板の間に、前記挿通孔に対して略同心状に配置される防振部材とを備え、前記防振部材は、弾性材に熱伝導性化合物を配合してなり、前記熱伝導性化合物は、前記弾性部材の熱伝導度よりも高い熱伝導度を有していることを特徴とする。
【０００９】
ここで、防振部材の弾性材としては、弾性を有し、モータの振動を吸収するものであればよい。具体的には、ゴム等があげられる。また、熱伝導性化合物としては、黒鉛、酸化マグネシウム等が挙げられる。
黒鉛が配合されている弾性材であるゴムとしては、例えば、ゴム１００重量部に対して、黒鉛５０〜２００重量部を配合したもの等が挙げられる。
【００１０】
以上において、前記弾性部材は、ゴムであり、前記熱伝導性化合物は、酸化マグネシウムを配合した熱伝導性シリコーンゴム組成物であることが好ましい。
熱伝導性シリコーンゴム組成物は、熱伝導性を向上させたシリコーンゴムの組成物をいい、例えば、特開平０５−２３９３５８号公報に記載されているような熱伝導性シリコーンゴム組成物等を採用できる。
【００１１】
特開平０５−２３９３５８号公報の熱伝導性シリコーンゴム組成物は、特殊な製造方法で製造された酸化マグネシウムをシリコーンに配合させて得られるものである。この酸化マグネシウムは、水溶性マグネシウム塩１当量に対しアルカリ性物質を０．９５当量以下で反応させ水酸化マグネシウムを合成し、造粒乾燥させたものを１１００〜１６００℃で焼成して得られる。
【００１２】
また、この熱伝導性シリコーンゴム組成物には、補強性充填剤、耐熱性向上剤、難燃剤等の各種添加剤を随時付加的に配合してもよい。補強性充填剤としては、煙霧質シリカ、沈澱法シリカ、けいそう土など、耐熱性向上剤としては、カーボン、ベンガラ、酸化鉄、酸化セリウムなどが例示される。特にカーボンなどは、耐熱性向上剤だけでなく、補強性充填剤としても機能を有する。
【００１３】
このような本発明によれば、防振部材が、モータから発生する振動を吸収するので、モータの振動が支持部材にほとんど伝達されず、振動等が発生することが少なくなる、すなわち防振性を有する。
また、この防振部材は、弾性材に熱伝導性化合物（例えば、熱伝導性シリコーン化合物）を配合してなることにより、モータが駆動する際に発生する熱は、連結板、防振部材、連結板の順に伝達され、支持部材の方まで移動する。従って、支持部材、さらには、支持部材を介してこれを固定するフレーム等より、モータで発生した熱を放出することができるので、駆動後のモータを効率的に冷却することができる。
さらに、モータ自体を冷却するための冷却ファン等を設ける必要がないので、簡単な構造でモータを冷却することができる。
従って、モータから発生する振動を吸収する防振性を有するとともに、簡単な構造で、駆動後のモータを効率的に冷却することができるモータ固定用マウントとすることができる。
【００１４】
本発明のモータ固定用マウントでは、前記モータは、前記出力軸と同心状に前記接合面から突出する突出係止部を有し、前記防振部材は、前記モータ側の連結板の挿通孔の内周面に沿って設けられた圧着部を有し、前記圧着部の内径が、前記突出係止部の外径よりも小さいことが好ましい。
これによれば、圧着部の内径が、突出係止部の外径よりも小さいことにより、圧着部が弾性変形し、突出係止部を締め付けるようにして、圧着部と突出係止部とが嵌合するので、モータ側の連結板とモータとの位置決めを高精度に行うことができる。
【００１５】
本発明のモータ固定用マウントでは、前記圧着部は、前記モータと連結板とが接合する面を越えて突出される突出部を有することが好ましい。
ここで、例えば、モータの接合面が、平坦でなく、モータの出力軸が、接合面に対して、垂直に固定できない場合がある。
このような場合でも、本発明によれば、圧着部は、モータ側の連結板の接合面を越えて突出される突出部を有することにより、モータを連結板に位置決めする際に、突出部が押し潰された状態で連結板とモータとが固定されるから、つまり、押し潰された突出部を支点としてモータの姿勢を調整することができるので、モータの出力軸を連結板の接合面に対して垂直に固定することができる。
【００１６】
本発明のモータ固定用マウントでは、前記支持部材側の連結板には、前記支持部材の通孔内周面に当接して連結板を位置決めするための凸部が形成されていることが好ましい。
これによれば、支持部材側の連結板には、凸部が形成されていることにより、この凸部が、支持部材の通孔内周面に当接して、支持部材に対して連結板を位置決めする。従って、連結板と支持部材との位置決めを容易に行うことができる。
【００１７】
【発明の実施の形態】
［第１実施形態］
以下、本発明の第１実施形態を図面に基づいて説明する。
図１に示されるように、モータ２は、モータ固定用マウントであるマウント１を介して支持部材であるブラケット３に支持されている。
【００１８】
ここで、モータ２は、円形箱状の本体２１と、この本体２１の中心から突出する出力軸２２とを備えて構成されている。本体２１は、出力軸２２と同心状にマウント１との接合面から突出する円形の突出係止部２１Ａを有している。
ブラケット３は、ＯＡ機器等に内蔵されたモータ２を固定するためのものであり、金属板の折り曲げ加工によりＬ字形状に形成されている。つまりＯＡ機器等のフレームに固定される固定部３１と、この固定部３１に垂直に設けられた取付部３２とを備えて構成されている。取付部３２には、円形の通孔３２Ａが形成されている。
【００１９】
図２は、マウント１の側面断面図、図３は、マウント１の正面からみた図、図４は、マウント１の斜視図である。
マウント１は、図２、３、４にも示されるように、ブラケット３およびモータ２の接合面に固定されるモータ側連結板１１とブラケット側連結板１２の間に、配置されるリング状の防振部材１３とを備えている。
【００２０】
モータ側連結板１１は、詳しくは図４に示されるように、モータ２（図１）の接合面に固定され、中央にモータ２の出力軸２２を挿通させる挿通孔１１Ａを有する板状部材であり、正方形の対向する角部を小さく切り落とし、他の２つの対向する角部を大きく切り落とした形状である。
モータ側連結板１１には、小さく切り落とした角部の周辺に、モータ２（図１）を固定するためのネジ孔１１Ｂが形成されている。
【００２１】
ブラケット側連結板１２は、モータ側連結板１１と同様にして、詳しくは図４に示されるように、ブラケット３（図１）の接合面に固定され、中央にモータ２の出力軸２２を挿通させる挿通孔１２Ａを有する板状部材であり、正方形の対向する角部を小さく切り落とし、他の２つの対向する角部を大きく切り落とした形状である。
ブラケット側連結板１２には、小さく切り落とした角部の周辺に、ブラケット３（図１）を固定するためのネジ孔１２Ｂが形成されている。
【００２２】
さらに、ブラケット側連結板１２には、ブラケット３（図１）の通孔３２Ａの内周面に当接してブラケット側連結板１２を位置決めするための凸部１２Ｃが形成されている。
凸部１２Ｃは、挿通孔１２Ａの周縁全周に、ブラケット３の通孔３２Ａ側に突出して形成されている。
【００２３】
これら、モータ側連結板１１およびブラケット側連結板１２は、図４に示されるように、防振部材１３を挟んで９０度回転した位置で配置され、加硫接着することによって、一体化されている。そのため、対向するモータ側連結板１１およびブラケット側連結板１２によって、ネジ孔１１Ｂおよび１２Ｂが隠されないようになっており、ブラケット３やモータ２へのネジによる締結を容易にしている。
なお、本実施形態においては、加硫接着によって、モータ側連結板１１およびブラケット側連結板１２および、防振部材１３を一体としたが、接着剤を使用しても良い。接着剤としては、特に制限はないが、熱伝導性を阻害しないものであることが好ましいことはもちろんである。
【００２４】
一方、防振部材１３は、弾性材に熱伝導性化合物を配合してなり、熱伝導性化合物は、弾性部材の熱伝導度よりも高い熱伝導度を有している。具体的には、防振部材１３は、特開平０５−２３９３５８号公報に記載されているように、その弾性部材は、ゴムであり、熱伝導性化合物は、酸化マグネシウムを配合した熱伝導性シリコーンゴム組成物であるこの熱伝導性シリコーンゴム組成物は、熱伝導性を向上させたシリコーンゴムの組成物である。
【００２５】
この熱伝導性シリコーンゴム組成物は、具体的には、特殊な製造方法で製造された酸化マグネシウムをシリコーンに配合させて得られるものである。この酸化マグネシウムは、水溶性マグネシウム塩１当量に対しアルカリ性物質を０．９５当量以下で反応させ水酸化マグネシウムを合成し、造粒乾燥させたものを１１００〜１６００℃で焼成して得られる。
【００２６】
この熱伝導性シリコーンゴム組成物をより具体的に説明すると、基本的には常温または加熱等によって硬化させることによりゴム弾性体となる（Ａ）ポリオルガノシロキサン組成物に、（Ｂ）水溶性マグネシウム塩１当量に対し、アルカリ性物質を０．９５当量以下で反応させ水酸化マグネシウムを合成し、造粒乾燥させたものを１１００〜１６００℃で焼成して得られた酸化マグネシウムを配合したものである。
【００２７】
配合量は特に問わないが、ポリシロキサンベースポリマー１００  重量部に対し、前述の酸化マグネシウム（ＭｇＯ）  は、１０〜１０００重量部、望ましくは  １００〜６００  重量部である。
【００２８】
また、この熱伝導性シリコーンゴム組成物には、補強性充填剤、耐熱性向上剤、難燃剤等の各種添加剤を随時付加的に配合してもよい。このようなものとしては、通常、煙霧質シリカ、沈澱法シリカ、けいそう土等の補強性充填剤、酸化アルミニウム、マイカ、クレイ、炭酸亜鉛、ガラスビーズ、ポリジメチルシロキサン、アルケニル基含有ポリシロキサン等が例示される。
【００２９】
防振部材１３は、図２に示されるように、モータ側連結板１１の挿通孔１１Ａの内周面に沿って設けられた圧着部１３Ａを有している。圧着部１３Ａは、モータ側連結板１１の接合面と略同一平面上にまで形成されているものである。この圧着部１３Ａの内径は、突出係止部２１Ａの外径よりも小さい。
【００３０】
上述のような本実施形態によれば、次のような効果がある。
（１）防振部材１３が、モータ２から発生する振動を吸収するので、モータ２の振動がブラケット３にほとんど伝達されず、振動等が発生することが少なくなる、すなわち防振性を有する。
また、この防振部材１３は、弾性材に熱伝導性化合物（熱伝導性シリコーン化合物）を配合してなることにより、モータ２が駆動する際に発生する熱は、モータ側連結板１１、防振部材１３、ブラケット側連結板１２の順に伝達され、ブラケット３の方まで移動する。従って、ブラケット３、さらには、ブラケット３を介してこれを固定するフレーム等より、モータ２で発生した熱を放出することができるので、駆動後のモータ２を効率的に冷却することができる。
さらに、モータ２自体を冷却するための冷却ファン等を設ける必要がないので、簡単な構造でモータ２を冷却することができる。
従って、モータ２から発生する振動を吸収する防振性を有するとともに、簡単な構造で、駆動後のモータ２を効率的に冷却することができるマウント１とすることができる。
【００３１】
（２）圧着部１３Ａの内径が、突出係止部２１Ａの外径よりも小さいことにより、圧着部１３Ａが弾性変形し、突出係止部２１Ａを締め付けるようにして、圧着部１３Ａと突出係止部２１Ａとが嵌合するので、モータ側連結板１１とモータ２との位置決めを高精度に行うことができる。
【００３２】
（３）ブラケット側連結板１２には、凸部１２Ｃが形成されていることにより、この凸部１２Ｃが、ブラケットの通孔３２Ａの内周面に当接して、ブラケット３に対してブラケット側連結板１２を位置決めする。従って、ブラケット側連結板１２とブラケット３との位置決めを容易に行うことができる。
【００３３】
［第２実施形態］
次に本発明の第２実施形態を説明する。なお、以下の説明では既に説明した部分、部材と同一のものは同一符号を付してその説明を簡略する。
第１実施形態では、図２に示されるように、圧着部１３Ａは、モータ側連結板１１の接合面と略同一平面上にまで形成されているものであったが、第２実施形態では、図５に示されるように、圧着部１３Ａは、モータ２とモータ側連結板１１とが接合する面を越えて突出される突出部１３Ｂを有する点が、異なっている。
【００３４】
上述のような本実施形態によれば、前述の第１実施形態の効果に加えて次のような効果がある。
（４）圧着部１３Ａは、モータ側連結板１１の接合面を越えて突出される突出部１３Ｂを有することにより、モータ２をモータ側連結板１１に位置決めする際に、ねじ等で締め付けていくと、突出部１３Ｂが押し潰された状態でモータ側連結板１１とモータ２とが固定されるから、つまり、ねじ等の締め付け度合いによって、押し潰された突出部１３Ｂを支点としてモータ２の姿勢を調整することができるので、モータ２の出力軸２２をモータ側連結板１１の接合面に対して垂直に固定することができる。
【００３５】
なお、本発明は前記各実施形態に限定されるものではなく、本発明の目的を達成できる範囲での変形、改良は、本発明に含まれるものである。
前記各実施形態では、凸部１２Ｃとしては、挿通孔１２Ａの周縁全周に、ブラケット３の通孔３２Ａ側に突出して形成されていたが、これに限られず、挿通孔１２Ａの周縁に数カ所、突起部として設けるようにしてもよい。
前記各実施形態では、防振部材１３は、熱伝導性シリコーンゴム組成物を含んでおり、この熱伝導性シリコーンゴム組成物は、具体的には、特殊な製造方法で製造された酸化マグネシウムをシリコーンに配合させて得られるものであったが、これに限られず、ゴムに黒鉛等を配合したものとしてもよい。
その他、本発明を実施する際の具体的な構造および形状等は、本発明の目的を達成できる範囲内で他の構造等としてもよい。
【００３６】
【実施例】
以下、実施例および比較例を挙げて、本発明をより具体的に説明する。なお、本発明は実施例の内容に限定されるものではない。
［実施例］
以上の第１実施形態のように、マウント１を、モータ２およびブラケット３に介在させて固定するようにした。
【００３７】
［比較例１］
実施例とは、マウントに用いられる防振部材を、アクリロニトリル・ブタジエンゴム（ＮＢＲ）からなるものにしている点のみが異なる。
［比較例２］
実施例とは、マウントに用いられる防振部材を、成形一般用シリコーンゴム（東芝シリコーン（株）製  シリコーンゴム：商品名  ＴＳＥ２２１−７Ｕ）からなるものにしている点のみが異なる。
【００３８】
［参考例］
マウントを介在させず、モータおよびブラケットを当接させた状態にした。
【００３９】
［熱伝導性の評価］
以上の実施例、比較例１、参考例について、熱伝導の評価を行った。
まずモータを所定時間駆動させながら、モータの温度を測定した。結果を図６に示す。この図６に示されているように、実施例と比較例１を比較すると、測定当初のモータの温度は、略同様に約４０度であるが、約１０分経過後に差が現れ始める。そして、約２０分以上経過すると、実施例では、モータの温度は、約７０度付近で一定になる。これに対して、比較例１では、モータの温度は、約８０度付近で一定になる。
従って、実施例の方が、比較例１よりも、モータからの熱を放出して効率的に、冷却ができていることがわかる。
【００４０】
なお、参考例は、測定当初のモータの温度は、略同様に約３５度であるが、その後約４５度付近で一定になる。実施例は、比較例よりも、この参考例の温度に近いこともわかる。
【００４１】
［防振性の評価］
実施例、比較例１、２について、公知の捩じり振動試験機により損失係数ｔａｎδを測定した。この損失係数ｔａｎδが、大きければ、防振性が高いといえる。測定手順としては、まず、実施例、比較例１、２についてサンプルを公知の捩じり振動試験機に固定する。その際、各サンプルの一方を捩じり振動試験機の加振モータにチャックし、他方を捩じり振動試験機のロードセルにチャックして、捩じり振動を各サンプルごとに負荷し、ロードセルで測定された応答トルクから損失係数ｔａｎδを測定する。この測定の際の温度は、室温（２５℃）であり、捩り角度は、±１ｄｅｇであり、振動周波数は、１０〜３０Ｈｚである。
以下の表１に測定結果を示す。
【００４２】
【表１】
2004173352.tif 000003
【００４３】
この表１によれば、実施例は、比較例１および比較例２よりも防振性が優れていることがわかる。
従って、以上の［熱伝導性の評価］および［防振性の評価］によれば、本発明に係るマウントは、防振部材中に熱伝導性化合物（酸化マグネシウム）が添加されていることにより、熱伝導性を向上させるとともに、優れた防振性（高い損失係数ｔａｎδ）を有するので、優れた熱伝導性の防振マウントとすることができる。
【００４４】
【発明の効果】
本発明によれば、防振部材が、モータから発生する振動を吸収するので、モータの振動が支持部材に伝達することがなく、振動等が発生することが少なくなる、すなわち防振性を有する。また、この防振部材は、弾性材に熱伝導性化合物（例えば、熱伝導性シリコーン化合物）を配合してなることにより、モータが駆動する際に発生する熱は、連結板、防振部材、連結板の順に伝達され、支持部材の方まで移動する。従って、支持部材、さらには、支持部材を介してこれを固定するフレーム等より、モータで発生した熱を放出することができるので、駆動後のモータを効率的に冷却することができる。さらに、モータ自体を冷却するための冷却ファン等を設ける必要がないので、簡単な構造でモータを冷却することができる。
従って、モータから発生する振動を吸収する防振性を有するとともに、簡単な構造で、駆動後のモータを効率的に冷却することができるモータ固定用マウントとすることができる。
【図面の簡単な説明】
【図１】本発明の第１実施形態のマウントをモータおよびブラケットに固定した状態を示す図である。
【図２】図１の実施形態におけるマウントの側面断面図である。
【図３】図１の実施形態におけるマウントの正面図である。
【図４】図１の実施形態におけるマウントの斜視図である。
【図５】本発明の第２実施形態のマウントの側面断面図である。
【図６】熱伝導性の特性を評価するためのグラフである。
【符号の説明】
１      マウント
２      モータ
３      ブラケット
１１      モータ側連結板
１１Ａ      挿通孔
１２      ブラケット側連結板
１２Ａ      挿通孔
１２Ｃ      凸部
１３      防振部材
１３Ａ      圧着部
１３Ｂ      突出部
２１Ａ      突出係止部
２２      出力軸
３２Ａ      通孔
【図１】
2004173352.tif 000004
【図２】
2004173352.tif 000005
【図３】
2004173352.tif 000006
【図４】
2004173352.tif 000007
【図５】
2004173352.tif 000008
【図６】
2004173352.tif 000009